(57)【要約】一台の電話機に複数の電話番号が割り当てられた場合に、発信者電話番号の通知や着信制御などの電話サービスを適宜変更して使用することが可能な電話システムである。データ送受モードと電話モードとを実行する電話機１と、前記電話機１に付与された第１の電話番号とは異なる第２の電話番号による発呼及び着呼を管理する管理装置２とを具備する。前記管理装置２は、前記電話機１からデータ送受モードにより第２の電話番号の割り当て要求があると、第２の電話番号を割り当てる割当・放棄制御手段２１と、前記電話機１から電話モードにおける発呼の際に発信者電話番号通知に付加されて送られてくる制御情報に応じて、被呼側へ通知する発信者電話番号を選択して通知する通知手段２２とを具備している。
2005018209.tif 000002
【特許請求の範囲】
【請求項１】
データ送受モードと電話モードとを実行する電話機と、前記電話機に付与された第１の電話番号とは異なる第２の電話番号による発呼及び着呼を管理する管理装置とを具備する電話システムにおいて、
前記管理装置は、
前記電話機からデータ送受モードにより第２の電話番号の割当・放棄要求があると、第２の電話番号を割当・放棄する割当・放棄制御手段と、
前記電話機から電話モードにおける発呼の際に発信者電話番号通知に付加されて送られてくる制御情報に応じて、被呼側へ通知する発信者電話番号を選択して通知する通知手段と
を具備していることを特徴とする電話システム。
【請求項２】
前記電話機は、
第２の電話番号の割当・放棄要求、第２の電話番号による当該電話機への着呼の可否について入力を行う入力手段と、
前記入力手段からの入力に対応する情報を前記データ送受モードにて前記管理装置へ送出する送出手段と
を具備することを特徴とする請求項１に記載の電話システム。
【請求項３】
前記電話機は、
被呼側へ通知する発信者電話番号を指示する制御情報を入力する入力手段と、
この入力手段により入力された制御情報を電話モードにおける発呼の際に前記管理装置へ送出する発呼処理手段と
を具備することを特徴とする請求項１に記載の電話システム。
【請求項４】
前記管理装置は、
前記第２の電話番号の割当・放棄に関する情報及び着信可否に関する情報を含む設定情報を記憶する記憶手段と、
前記データ送受モードにより、前記電話機から前記設定情報が送られてくると、これを前記記憶手段へ記憶する記憶制御手段と、
前記第２の電話番号による前記電話機への着信要求が到来すると、前記記憶手段に記憶されている設定情報に基づき前記電話機への着信を制御する着信制御手段と
を具備することを特徴とする請求項１に記載の電話システム。
【請求項５】
データ送受モードと電話モードとを実行する電話機と、前記電話機に付与された第１の電話番号とは異なる第２の電話番号による発呼及び着呼を管理する管理装置とを具備する電話システムにおいて、
前記管理装置は、
前記電話機に割り当てる第２の電話番号情報と、この第２の電話番号による発信者電話番号通知の制御情報、この第２の電話番号による前記電話機への着信の可否を示す着信可否情報を含む設定情報を記憶する記憶手段と、
前記電話機からデータ送受モードにより、前記第２の電話番号の割り当て或いは放棄要求、この第２の電話番号による発信者電話番号通知の制御情報、この第２の電話番号による前記電話機への着信の可否を示す着信可否情報を含む設定情報を受けて前記記憶手段へ反映させる記憶制御手段と、
前記電話機からの電話モードにおける発呼の際には前記記憶手段に記憶された設定情報に基づき被呼側へ通知する発信者電話番号を選択し、前記第２の電話番号による前記電話機への着信要求が到来すると前記記憶手段に記憶されている設定情報に基づき前記電話機への着信を制御する呼処理制御手段と
を具備することを特徴とする電話システム。
【発明の詳細な説明】
【技術分野】  この発明は、電話機に付与された第１の電話番号とは異なる第２の電話番号をユーザからの要求に応じてその都度割り当て或いは放棄し、この第２の電話番号による発呼・着呼と共に第２の電話番号の割当・放棄に関する情報及び着信可否に関する情報を含む設定情報を管理する電話システムに関する。
【背景技術】従来の電話システムにおいては、一台の電話機に対しては１つの電話番号を割り当てている。これに対して、一台の電話機に対して複数の電話番号を固定的かつユーザ固有に割り当てるようにしたものが例えば、特許文献１（特開平８−１６７９３６号公報）や特許文献２（特表２００２−５２７９６１号公報）に示されている。
上記のような例の場合は、複数の電話番号を固定的かつユーザ固有のものとして割り当てるものである。このような電話システムにあっては、一旦、通常の発呼を行った場合には、用いたユーザ固有の電話番号が相手側へ通知される。
上記に対し、複数の電話番号が割り当てられている電話機において、時として相手方にはユーザ固有の電話番号を知られたくない場合があり、また、電話番号が相手に知られたとしてもその電話番号を用いた着信は、それ以降一切受けたくないという要求もある。特に相手と親しくない場合や、仕事上の取引先との一時的な連絡（例えば、出張時の待ち合せ）、既知でない業者への問合せなどには、このような要求が生じる。
従来の電話システムにおいては、複数の電話番号を割り当てる際には、これを固定的かつユーザ固有（また、携帯電話の場合、電話機固有）のものとしてきた。このため、一旦、通常の発呼を行い、用いた電話番号が相手側へ通知されると、以降の相手側からの着信を一切、受け付けないようにする場合には、用いた電話番号を永続的に着信拒否の状態にし続けることが必要となり、せっかく固定的に割り当てられた電話番号の使い勝手が悪くなる、という課題がある。
また、着信を一切受け付けないようにするには、電話機自体を変える（固定電話の場合は、固有の電話番号を変える）方法があるが、この場合は、ユーザ固有のものとして扱っていた電話番号も変えることになるため、これを知る親しい相手や、自分の情報を登録等している行政機関やその他公共機関等に対して、再度、変更後の電話番号を伝え直さなければならないという不便さが生じていた。
本発明の課題は、ユーザからの要求に応じて、その都度第２の電話番号に関する割当・放棄等の設定を行うと共に、発信者電話番号の通知や着信制御などの電話サービスを適宜変更して使用することを可能とした電話システムを提供することである。
【発明の開示】
本発明に係る電話システムは、データ送受モードと電話モードとを実行する電話機と、前記電話機に付与された第１の電話番号とは異なる第２の電話番号による発呼及び着呼を管理する管理装置とを具備する電話システムにおいて、  前記管理装置は、前記電話機からデータ送受モードにより第２の電話番号の割当・放棄要求があると、第２の電話番号を割当・放棄する割当・放棄制御手段と、前記電話機から電話モードにおける発呼の際に発信者電話番号通知に付加されて送られてくる制御情報に応じて、被呼側へ通知する発信者電話番号を選択して通知する通知手段とを具備していることを特徴とする。
本発明に係る電話システムでは、第２の電話番号の割当・放棄要求、第２の電話番号による当該電話機への着呼の可否について入力を行う入力手段と、前記入力手段からの入力に対応する情報を前記データ送受モードにて前記管理装置へ送出する送出手段と具備することを特徴とする。
本発明に係る電話システムでは、前記電話機は、被呼側へ通知する発信者電話番号を指示する制御情報を入力する入力手段と、この入力手段により入力された制御情報を電話モードにおける発呼の際に前記管理装置へ送出する発呼処理手段とを具備することを特徴とする。
本発明に係る電話システムでは、前記管理装置は、前記第２の電話番号の割当・放棄に関する情報及び着信可否に関する情報を含む設定情報を記憶する記憶手段と、前記データ送受モードにより、前記電話機から前記設定情報が送られてくると、これを前記記憶手段へ記憶する記憶制御手段と、前記第２の電話番号による前記電話機への着信要求が到来すると、前記記憶手段に記憶されている設定情報に基づき前記電話機への着信を制御する着信制御手段とを具備することを特徴とする。
本発明に係る電話システムは、データ送受モードと電話モードとを実行する電話機と、前記電話機に付与された第１の電話番号とは異なる第２の電話番号による発呼及び着呼を管理する管理装置とを具備する電話システムにおいて、
前記管理装置は、前記電話機に割り当てる第２の電話番号情報と、この第２の電話番号による発信者電話番号通知の制御情報、この第２の電話番号による前記電話機への着信の可否を示す着信可否情報を含む設定情報を記憶する記憶手段と、前記電話機からデータ送受モードにより、前記第２の電話番号の割り当て或いは放棄要求、この第２の電話番号による発信者電話番号通知の制御情報、この第２の電話番号による前記電話機への着信の可否を示す着信可否情報を含む設定情報を受けて前記記憶手段へ反映させる記憶制御手段と、前記電話機からの電話モードにおける発呼の際には前記記憶手段に記憶された設定情報に基づき被呼側へ通知する発信者電話番号を選択し、前記第２の電話番号による前記電話機への着信要求が到来すると前記記憶手段に記憶されている設定情報に基づき前記電話機への着信を制御する呼処理制御手段とを具備することを特徴としている。
【図面の簡単な説明】図１は、第１の実施例に係る電話システムの構成を示すブロック図である。
図２は、本発明に用いられる電話機の機能ブロック図である。
図３は、本発明に用いられる管理装置の機能ブロック図である。
図４は、第１の実施例に係る電話システムに用いられる管理装置の記憶手段に記憶されたデータの例を示す図である。
図５は、本発明に用いられる電話機の動作の概要を示すフローチャートである。
図６は、本発明に用いられる管理装置の動作の概要を示すフローチャートである。
図７は、本発明の実施例に係る電話システムにおいて電話番号振替サービスを選択した場合の表示例を示す図である。
図８は、第１の実施例に係る電話システムにおける電話機の動作を示すフローチャートである。
図９は、第１の実施例に係る電話システムにおいて発呼を行う場合の表示例を示す図である。
図１０は、第１の実施例に係る電話システムにおいて電話機から送出される呼制御情報の内容を示す図である。
図１１は、第１の実施例に係る電話システムにおける管理装置の動作を示すフローチャートである。
図１２は、実施例に係る電話システムにおける管理装置の動作を示すフローチャートである。
図１３は、実施例に係る電話システムにおける電話機の動作を示すフローチャートである。
図１４は、実施例に係る電話システムにおける管理装置の動作を示すフローチャートである。
図１５は、実施例に係る電話システムにおける電話機の動作を示すフローチャートである。
図１６は、第１の実施例に係る電話システムにおいて電話機に表示される新規登録の際の画面内容を示す図である。
図１７は、実施例に係る電話システムにおける電話機の動作を示すフローチャートである。
図１８は、実施例に係る電話システムにおける管理装置の動作を示すフローチャートである。
図１９は、実施例に係る電話システムにおいて電話機に表示される登録内容変更の際の画面内容を示す図である。
図２０は、実施例に係る電話システムにおいて電話機に表示される登録内容変更の登録時の画面内容を示す図である。
図２１は、実施例に係る電話システムにおける電話機の動作を示すフローチャートである。
図２２は、実施例に係る電話システムにおいて電話機に表示される利用情報変更の際の画面内容を示す図である。
図２３は、実施例に係る電話システムにおける電話機の動作を示すフローチャートである。
図２４は、実施例に係る電話システムにおいて電話機に表示されるサービス利用期間変更の際の画面内容を示す図である。
図２５は、実施例に係る電話システムにおける電話機の動作を示すフローチャートである。
図２６は、実施例に係る電話システムにおいて電話機に表示される課金分別変更の際の画面内容を示す図である。
図２７は、実施例に係る電話システムにおける電話機の動作を示すフローチャートである。
図２８は、実施例に係る電話システムにおいて電話機に表示されるサブ番号変更の際の画面内容を示す図である。
図２９は、実施例に係る電話システムにおける管理装置の動作を示すフローチャートである。
図３０は、実施例に係る電話システムにおける電話機の動作を示すフローチャートである。
図３１は、第２の実施例に係る電話システムの構成を示すブロック図である。
図３２は、第２の実施例に係る電話システムに用いられる管理装置の記憶手段に記憶されたデータの例を示す図である。
図３３は、第２の実施例に係る電話システムにおける電話機の動作を示すフローチャートである。
図３４は、第２の実施例に係る電話システムにおける管理装置の動作を示すフローチャートである。
【発明を実施するための最良の形態】  本発明では、２の電話番号に関する情報の設定・変更の指示、発呼及び着呼に関する管理の指示を電話機側から与えて、電話サービスを適宜変更して使用する電話システムを実現した。以下添付図面を参照して、本発明に係る電話システムを説明する。各図において同一の構成要素には、同一の符号を付し、重複する説明を省略する。
【実施例１】  図１に、第１の実施例に係る電話システムの構成を示す。このシステムでは、本発明の電話システムを構成する電話機１と管理装置２とが備えられている。管理装置２は網３において発呼及び着呼等を管理するものである。電話機１は、ここでは無線電話機を示しており、網３の基地局３１を介して例示した電話機４と通話可能であり、管理装置２へ情報を送ることも可能である。
電話機１は、通信部とＣＰＵを中心としたデータ処理部からなるものであり、機能的には、図２に示されるように、管理装置２との間でＷｅｂブラウザを用いたデータ送受モードを行うデータ送受モード処理部５２と、電話通信のための電話モードの処理を行う電話モード処理部５３と、データ送受モードと電話モードとにおいて共通するマンマシンインタフェースなどからなる共通部５１とを具備し、図１の手段を構成している。
つまり、電話機１には、図１に示されるように、情報を表示するＬＣＤ等の表示手段１１、この表示手段１１に情報を表示する制御を行う表示制御手段１２、データを入力するためのキーボードやマウスなどから構成される入力手段１３、入力手段１３からの入力に対応する情報をデータ送受モードにて管理装置２へ送出する送出手段１４が具備されている。
入力手段１３は、被呼側へ通知する発信者電話番号を指示する制御情報を入力するためにも使用される。図１に示されるように、電話機１には更に、上記の入力手段１３により入力された制御情報を電話モードにおける発呼の際に管理装置２へ送出する発呼処理手段１５、情報を記憶するための記憶手段１７、情報を記憶手段１７へ記憶する制御を行う記憶制御手段１６を具備している。
一方、管理装置２は実際には、図３に示されるように４つの装置から構成される。つまり、データ送受サーバ６１、呼制御装置６２、課金処理装置６３及びデータベース６４である。データ送受サーバ６１は、電話機１によるＷｅｂブラウザを用いたデータ送受モードに対応する処理を行う。呼制御装置６２は、網３を介して行われる発呼及び着呼に関わる処理を行う。課金処理装置６３は呼制御装置６２から通話に関する情報を得て課金処理を行う。データベース６４には、データ送受サーバ６１、呼制御装置６２及び課金処理装置６３が用いる各種の情報が記憶される。
管理装置２は、データ送受サーバ６１、呼制御装置６２、課金処理装置６３及びデータベース６４により、図１に示される各手段を構成している。つまり、管理装置２は、割当・放棄制御手段２１、通知手段２２、着信制御手段２３、記憶制御手段２４、記憶手段２５を備えている。割当・放棄制御手段２１は、電話機からデータ送受モードにより第２の電話番号の割当・放棄要求があると、第２の電話番号を割当・放棄するものである。通知手段２２は、電話機から電話モードにおける発呼の際に発信者電話番号通知に付加されて送られてくる制御情報に応じて、被呼側へ通知する発信者電話番号を選択して通知するものである。
また、記憶手段２５はデータベース６４の一部であり、第２の電話番号の割当・放棄に関する情報及び着信可否に関する情報を含む設定情報を記憶するものである。記憶手段２５に記憶される設定情報の具体例を図４に示す。図４に現されている情報は、一台の電話機当たりの情報であり、一台の電話機について、第１の電話番号、第２の電話番号、利用状況、利用期間、課金分別、現在課金の各情報が記憶されていることを示す。これらの内、利用状況は、０（利用中断）、１（着呼ＯＦＦ）、２（着呼ＯＮ）のいずれかの情報が書き込まれていることを示し、利用期間は、その最終日が書き込まれていることを示し、課金分別としては、第１の電話番号と第２の電話番号について、課金を分けるか否かを０（行う）、１（行わない）のいずれかの情報が書き込まれていることを示す。また、第２の電話番号を用いていないユーザの電話番号情報や電話機の位置情報等も記憶されている。この記憶手段２５に記憶されている情報であって、当該電話機１に関する部分の情報は電話機１の記憶手段１７にも記憶されている。
記憶制御手段２４は、データ送受モードにより、電話機から着信可否情報を含む設定情報が送られてくると、これを記憶手段２５へ記憶するものである。これにより、図４の情報が変更される。着信制御手段２３は、第２の電話番号による電話機への着信要求が到来すると、記憶手段２５に記憶されている着信可否情報を含む設定情報に基づき電話機への着信を制御するものである。
以上のように構成された電話システムにおいて、電話機１と管理装置２に備えられているＣＰＵは以下に示すフローチャートに対応するプログラムにより、動作を実行する。以下、フローチャートに基づき動作を説明する。図５は電話機１により行われる処理に対応するフローチャートである。ＣＰＵは入力を監視しており（Ｓ１）、入力があると内容の分析を行い（Ｓ２）、オフフックなどの電話処理（電話モード）に関するものであれば電話処理（Ｓ３）へ進み、情報通信（データ送受モード）を選択する入力である場合には、電話番号の一時振替を含むＷｅｂブラウザを用いたサービスに関するメニューを表示する（Ｓ４）。ここに、電話番号の一時振替とは、第２の電話番号を用いた呼制御に関する処理のことである。
次に、ＣＰＵは、メニューの選択がなされたかを監視し（Ｓ５）、メニューが選択されると電話番号の一時振替が選択されたかを検出し（Ｓ６）、他のメニューが選択されていると他の対応する処理を行い（Ｓ８）、電話番号の一時振替が選択されると、電話番号に関する一時振替サービスの設定などの処理へと進む（Ｓ７）。
一方、管理装置２では、図６に示されるフローチャートに対応する処理が行われる。処理事象発生したかの監視が行われ（Ｓ１１）、処理事象発生が検出されると、事象が電話処理に関するものか又は情報通信に関するものであるのかを検出する（Ｓ１２）。事象が呼制御情報などの電話処理に関するものであると電話処理（Ｓ１３）へ進み、事象が情報通信に関するもの（Ｗｅｂブラウザを用いたサービスの要求）であれば、メニューの送信を行う（Ｓ１４）。このメニューの内容例を図７に示す。実際には、呼制御情報は、呼制御装置６２により受取られて処理がなされ、情報通信に関するもの（Ｗｅｂブラウザを用いたサービスの要求）は、データ送受サーバ６１により受取られて処理がなされる。
上記のメニューを送信した後には、メニューの選択を監視し（Ｓ１５）、新規登録の選択がなされると（Ｓ１６）新規登録処理（Ｓ１７）へ進み、登録内容変更の選択がなされると（Ｓ１８）登録内容変更処理（Ｓ１９）へ進み、状況確認の選択がなされると（Ｓ２０）状況確認処理（Ｓ２１）へ進み、戻るが選択されると（Ｓ２０）リターンしてスタートから処理を行う。
次に、電話機１と管理装置２による電話処理を説明する。まず、電話機１において発呼して電話機４へ着信を行う場合について説明する。電話機１では、電話機処理において、図８に示されるように、オフフックによる発呼要求であるのか網側から着信の呼制御情報が送られてきたのかを検出する（Ｓ２２）。ここでは発呼であるので、図９に示すような発呼用画面が表示手段１１に表示される（Ｓ２３）。ここで、発番号は、前回の発呼の際に用いた電話番号についてフラグがセットされ、記憶手段１７に記憶されているので、この情報に基づき表示するものとする。
また、発呼用画面には、図９に示すように発呼ＯＫ、発番切替、データ送受モードのキーが表示され、選択操作可能となっている。そこで、電話機１のＣＰＵはデータ送受モードが選択されたかを検出し（Ｓ２４）、データ送受モードが選択された場合にはデータ送受モード（Ｓ２５）に移行する。データ送受モードが選択されていなければ、発番切替と発呼ＯＫのいずれが選択されたかを検出する（Ｓ２６）。
上記ステップＳ２６において発番切替が選択されると、サブ番号（第２の電話番号、サブ電話番号）を使用した発呼を行うか否かを切り替える（Ｓ２７）。また、ステップＳ２６において発呼ＯＫが選択されると、この時点においてサブ番号（第２の電話番号、サブ電話番号）を使用した発呼を行うか否かを記憶手段１７に登録する（Ｓ２７）。次に、入力される相手電話番号を取り込み（Ｓ２９）、制御チャネルを用いて網に対する発番号（第１の電話番号）にサブ番号の使用不使用の情報を付加して呼制御情報として、網３へ送信する（Ｓ３０）。
図１０には、上記において網３へ送信される呼制御情報の一部が示されている。この例では、発呼であることを示す情報と、発番号（第１の電話番号）と宛先の電話番号及びサブ番号の使用不使用を示す制御情報Ｃがセットされている。制御情報Ｃは１ビットであり、例えば０によりサブ番号の使用を示し、１によりサブ番号の不使用を示す。
一方、網３側である管理装置２では、呼制御情報の到来を監視しており（Ｓ３５）、呼制御情報が到来すると、制御情報Ｃについて分析し（Ｓ３６）、サブ番号を通知する（サブ番号の使用）かの検出を行う（Ｓ３７）。ここでサブ番号を通知する（サブ番号の使用）こととなっていると、着呼側について記憶手段２５（データベース６４）を用いて分析を行う（Ｓ３８）。つまり、第２の電話番号を取得した相手が着信先であるかを分析する（Ｓ３９）。ここでＹＥＳへ分岐すると、サブ番号へ着信するか否かを着呼ＯＦＦか着呼ＯＮであるかを登録したテーブル（記憶手段２５）による分析を行い（Ｓ４０）、着呼ＯＮであるかを検出する（Ｓ４１）。ここでＹＥＳへ分岐すると、着信先へ発呼側のサブ番号を通知して（呼制御情報により通知して）着信を行う（Ｓ４２）。
着信して呼出しを行っている間は、相手（着呼側）が応答したかを検出し（Ｓ４３）、応答すると通話チャネルによる回線接続を行い、その後にオンフックの検出により回線切断を行い、課金処理装置６３により課金を行う（Ｓ４４）。課金に当たっては、記憶手段２５に記憶されている課金分別の情報に基づき区分するか否かを決定する。
また、ステップＳ４１においてＮＯへ分岐した場合には、ビジートーンを発呼側へ送信するなど、第２の電話番号への着信の場合に着呼ＯＦＦであることに対応する処理を行う（Ｓ４５）。また、ステップ３９においてＮＯへ分岐した場合には、図１２に示すステップ５１へ進み、着信先（第１の電話番号）へ電話機１のサブ番号（第２の電話番号）を通知して着信を行う（Ｓ５１）。これにより、電話機１のユーザは本当の電話番号（第１の電話番号）を相手に知られることなく着信できると共に、相手がこの通知した電話番号（第２の電話番号）への着呼を行おうとしても、着呼ＯＦＦか、相手側へ知らせた第２の電話番号の放棄を行っておけば、着信が生じることはない。
ステップ５１に次いで、ステップＳ５２、Ｓ５３を行うが、このステップＳ５２、Ｓ５３は、既に説明したステップＳ４３、Ｓ４４の動作と同様である。また、図１１のステップＳ３７においてＮＯへ分岐した場合には、着呼側について記憶手段２５（データベース６４）を用いて分析を行う（Ｓ４６）。つまり、第２の電話番号を取得した相手が着信先であるかを分析する（Ｓ４７）。ここでＹＥＳへ分岐すると、サブ番号へ着信するか否かを着呼ＯＦＦか着呼ＯＮであるかを登録したテーブル（記憶手段２５）による分析を行い（Ｓ４８）、着呼ＯＮであるかを検出する（Ｓ４９）。ここでＹＥＳへ分岐すると、着信先へ発呼側の親番号（第１の電話番号）を通知して（呼制御情報により通知して）着信を行う（Ｓ５０）。これ以降は、既述のステップＳ４３、Ｓ４４の処理を行う。
ステップＳ４９においてＮＯへ分岐すると、ビジートーンを発呼側へ送信するなど、第２の電話番号への着信の場合に着呼ＯＦＦであることに対応する処理を行う（Ｓ４５）。また、ステップ４７においてＮＯへ分岐した場合には、図１２に示すステップ５４へ進み、着信先（第１の電話番号）へ電話機１の親番号（第１の電話番号）を通知して着信を行う（Ｓ５４）。これにより、本来の電話番号を用いた着信を行うことができ、親しい人などへの電話の場合に用いることができる。
次に、電話機１において電話番号の一時振替サービス等の設定（第２の電話番号の割当。・放棄に関する情報、着信可否、利用期間、課金分別等の情報設定）を行う場合には、図５に示すステップＳ７へ進む。これに対応して、管理装置２はステップＳ１４の処理において図７に示すメニュー画面の情報を送信する。これに対応して電話機１では、図１３に示される処理を行う。つまり、メニュー情報を受信し、表示手段１１へ表示する（Ｓ５５）。表示したメニューについて選択がなされたかを検出し（Ｓ５６）、選択がなされた場合には新規登録の選択が選択されたか（Ｓ５７）、登録内容変更が選択されたか（Ｓ５８）、状況確認又は戻るが選択されたか（Ｓ５９）を検出し、それぞれの処理へ進む。
電話機１において新規登録処理が選択されると、図１４のフローチャートに示されるように、管理装置２は電話機１からの新規登録処理用メニュー要求を受取り、これに応じて新規登録処理用メニューを電話機１へ送信する（Ｓ６０）。これに対して、電話機１は図１５に示す処理を行う。まず、上記メニューの要求を行った後に送られてくるメニューの情報を受取り、表示を行う（Ｓ６５）。このとき、図１６に示されるような新規登録処理用メニューの画面が表示される。新規登録処理では、図１６に示されているサービス利用期間（時間、日、週を入力して指定）、通話料金の分別（親番号とサブ番号とで分けるか否か）、サブ番号仮発行（例えば、管理装置２が仮発行）、本登録（電話機１のユーザによる確認）に関する入力が行われ、これを電話機１のＣＰＵが取り込み、保持し、対応して表示変更（入力された部分の変更）を行い（Ｓ６６）、全ての入力が終了したのかを検出し（Ｓ６７）、全入力終了により、上記ステップＳ６６において保持してあるデータを管理装置２へ送信すると共に当該電話機１の記憶手段１７にも記憶する（Ｓ６８）。
上記の電話機１における動作に対し、新規登録処理用メニューを送信した後の管理装置２は、サブ電話番号の発行要求が到来するのを待っており（Ｓ６１）、到来があるとサブ電話番号の発行を行い、電話機１へ送信する（Ｓ６２）。次に、図１５のステップＳ６８における処理によって登録用データが送られてくるのを待ち（Ｓ６３）、登録用データが到来すると当該データを受取り、記憶手段２５へ登録する（Ｓ６４）。この結果、既に図４に示したようなデータが電話機１に対応して記憶される。
また、電話機１において登録内容変更処理が選択されると、図１７のフローチャートに示される処理が行われる。電話機１では、登録内容変更メニューの要求を行った後に送られてくるメニューの情報を受取り、表示を行う（Ｓ６９）。このとき、管理装置２では図１８に示されるフローチャートにより動作を行っている。登録内容変更メニューの要求を受け、登録内容変更メニューを送信し（Ｓ７７）、メニュー選択の情報が到来するのを待つ（Ｓ７８）。要求があると対応するメニューを送信する（Ｓ７９）。
電話機１においては、図１９に示されるような登録内容変更メニューが表示手段１１に表示される。つまり、変更内容が、利用状況の変更であるのか、サービス利用期間の変更であるのか、通話料金の分別を変更するのか、サブ番号の変更であるのか、変更を登録するのかを選択するメニューである。電話機１において上記のメニュー選択がなされると、選択されたメニューが変更登録であるのかそれ以外であるのかを検出する（Ｓ７１）。選択されたメニューが変更登録以外のものである場合には、選択されたメニューの処理を実行する（Ｓ７２）。このステップＳ７２においては、入力の取り込みを行うと共に、これに応じて処理終了となったかを検出し（Ｓ７３）、処理終了によりステップＳ７４へ進む。
上記で処理終了となった場合又は変更登録のメニューが選択された場合には、変更登録の画面表示を行う（Ｓ７４）。このステップＳ７４において表示される画面は、図２０に示されるようである。ほぼ中央部分に、変更後の内容が表示され、暗証番号の入力枠と変更ボタン或いはキャンセルボタンが設けられている。上記図２０の画面が表示されて、適切に入力が完了すると、つまり、必要な情報が入力されて変更登録ボタンが操作されると、電話機１の記憶手段１７に記憶すると共に管理装置２へ送信を行う（Ｓ７６）。このとき、管理装置２は図１８のステップＳ８０に示されるように変更内容のデータを待ち受けており、上記のようにデータが電話機１から送られるとこれを記憶手段２５の対応エリアへ記憶（上書き）する（Ｓ８１）。
以下では、利用状態の変更、課金分別の変更、サブ番号変更及び状況確認について電話機１における動作を説明する。利用状態の変更処理は図２１に示されるフローチャートに示すように行われる。まず、利用状態変更用メニューの要求を行い、これに対応して送られてくるメニューを受信し、表示する（Ｓ８２）。これにより、図２２に示されるように、現在の利用状態と、変更選択のメニューが表示される。ここでは、着呼がＯＦＦとなっているので、変更内容としては、着呼ＯＮ、利用一時中断、利用中止（契約解除（第２の電話番号の放棄））のいずれかを選択可能である。
電話機１では、上記のいずれかが選択されるのかを待ち（Ｓ８３）、入力があるとその内容を表示画面に反映させ（Ｓ８４）、適切に入力が完了したのかを監視する（Ｓ８５）。適切に入力が完了すると、変更された利用状態の内容データを電話機１の記憶手段１７へ記憶し、また管理装置２へ送信する（Ｓ８６）。これに対応して管理装置２は、図１８に示されるフローチャートの処理により対応する。
サービス利用期間変更処理は図２３に示されるフローチャートに示すように行われる。まず、サービス利用期間変更用メニューの要求を行い、これに対応して送られてくるメニューを受信し、表示手段１１へ表示する（Ｓ１５１）。これにより、図２４に示されるように、現在設定に係る利用期間及び残時間と、延長する時間を入力する場合の入力枠、再設定による利用期間を時間、日、週により入力する場合の選択ボタン及び入力枠、更にＯＫボタンとキャンセルボタンが表示される。これにより、延長する時間を入力して期間変更を行うことも、また、再度設定する入力を行いサービス利用期間変更することも可能である。
電話機１では、上記のいずれかにより入力がなされるのかを待ち（Ｓ１５２）、入力があるとその内容を表示画面に反映させ（Ｓ１５３）、適切に入力が完了したのかを監視する（Ｓ１５４）。適切に入力が完了する（ＯＫまで進む）と、変更されたサービス利用期間の内容データを電話機１の記憶手段１７へ記憶し、また管理装置２へ送信する（Ｓ１５５）。これに対応して管理装置２は、図１８に示されるフローチャートの処理により対応する。
課金分別変更処理は図２５に示されるフローチャートに示すように行われる。まず、課金分別変更用メニューの要求を行い、これに対応して送られてくるメニューを受信し、表示する（Ｓ８７）。これにより、図２６に示されるように、現在の設定と、変更設定後のメニューが表示される。ここでは現状が、課金分別するとなっているので、変更設定としては、課金分別しないとなる。
電話機１では、ＯＫかキャンセルかが選択されるのかを待ち（Ｓ８８）、入力があるとその内容を表示画面に反映させ（Ｓ８９）、入力が完了したのかを監視する（Ｓ９０）。適切に入力が完了すると、変更された課金分別の内容データを電話機１の記憶手段１７へ記憶し、また管理装置２へ送信する（Ｓ９１）。これに対応して管理装置２は、図１８に示されるフローチャートの処理により対応する。
サブ番号変更処理は図２７に示されるフローチャートに示すように行われる。まず、サブ番号変更用メニューの要求を行い、これに対応して送られてくるメニューを受信し、表示する（Ｓ９２）。これにより、図２８に示されるように、現在のサブ番号と、変更要求ボタンと変更後のサブ番号、ＯＫボタン及びキャンセルボタンのメニューが表示される。ここでは現サブ番号について、変更要求ボタンを操作する毎に、新たなサブ番号が管理装置２から送られ、表示される。
電話機１では、上記の画面において入力されるのを待ち（Ｓ９３）、入力があるとその内容を管理装置２へ通知すると共にサブ番号を受取り所定の位置に表示し（Ｓ９４）、ユーザが許容（ＯＫ）したのかを監視する（Ｓ９５）。ユーザが許容すると、変更されたサブ番号のデータを電話機１の記憶手段１７へ記憶し、また管理装置２へ送信する（Ｓ９６）。これに対応して管理装置２は、図２９に示されるフローチャートの処理により対応する。
つまり、管理装置２は図２９に示すようにサブ番号の変更処理の当初において、図２８に示したメニューに表示すべき新規なサブ番号を発行して電話機１へ送信して表示に供し（Ｓ９７）、電話機１から送られてくる入力の分析を行う（Ｓ９８）。分析の結果、再要求である場合にはステップＳ９７へ戻って更に新規なサブ番号を発行して電話機１へ送信して表示に供し（Ｓ９７）、上記ステップＳ９８にてＯＫが入力されたことを検出すると、記憶手段２５に記憶されているサブ番号についてＯＫを受けた時点のサブ番号へ変更して登録を行う（Ｓ９９）。
状況確認処理は図３０に示されるフローチャートに示すように行われる。この処理では、電話機１が管理装置２へ情報を要求することなくローカル処理として行われる。つまり、記憶手段１７に記憶されている現在の状況情報を読出し、表示手段１１に表示する（Ｓ１０１）。このとき、表示手段１１には、図４の一台の電話機分のデータ中、現在課金の情報を除いた部分に相当するものが表示される。
以上のようにして、本発明の第１の実施例では、発呼のときに必要に応じて簡単な操作にて発番号をサブ番号とするか否か選択でき、便利である。
尚、以上の説明においては、１つの第２の電話番号を割り当てる場合を例としたが、ユーザの希望により複数の第２の電話番号を割り当てることも可能である。この場合における、電話番号の取得や放棄等は各第２の電話番号毎に、既に説明した第１の実施例の場合と同様にして処理がなされる。そして、複数の第２の電話番号を割り当てられたユーザが当該電話機から発呼する場合には、発呼に際して相手側へ通知する電話番号を第１の電話番号とするか第２の電話番号とするかを選択し、第２の電話番号とする場合には更にいずれの電話番号とするかを選択する。電話機では、この選択を受けて管理装置へ呼制御情報を通知する。この場合、図１０に示した制御情報Ｃを複数ビットとし、上記いずれの電話番号を用いるかを通知し、管理装置２はこの複数ビットの情報によりいずれの電話番号を用いるかを検出する。
【実施例２】  次に第２の実施例に係る電話システムを説明する。この電話システムにあっても、図３１に示されるように、第１の実施例と同じくデータ送受モードと電話モードとを実行する電話機１Ａと、この電話機１Ａに付与された第１の電話番号とは異なる第２の電話番号による発呼及び着呼を管理する管理装置２Ａとを具備する。管理装置２Ａは、記憶手段２５Ａ、記憶制御手段２４及び呼処理制御手段２６とを備えている。記憶手段２５Ａは、電話機（１Ａなど）に割り当てる第２の電話番号情報と、この第２の電話番号による発信者電話番号通知の制御情報、この第２の電話番号による上記電話機への着信の可否を示す着信可否情報を含む設定情報を記憶するものである。
図３２には、記憶手段２５Ａに記憶される設定情報の具体例が示されている。図３２に現されている情報は、一台の電話機当たりの情報であり、基本的には図４に示した第１の実施例の情報と同じであるが、利用状況として発呼についてＯＮ、ＯＦＦを設定可能となっている。ここで、発呼と着呼共にＯＦＦがないのは、利用中断により代替されるからである。この情報を記憶するために、記憶制御手段２４が設けられており、記憶制御手段２４は、電話機（１Ａなど）からデータ送受モードにより、第２の電話番号の割り当て或いは放棄要求、この第２の電話番号による発信者電話番号通知の制御情報、この第２の電話番号による上記電話機への着信の可否を示す着信可否情報を受けて上記記憶手段２５Ａへ反映させる。上記発呼及び着呼についてのＯＮ／ＯＦＦは、図１４、図１５により説明した新規登録の場合に設定される他、図１７における登録内容変更処理における特に利用状態変更処理において適宜変更される。
呼処理制御手段２６は、上記電話機（１Ａなど）からの電話モードにおける発呼の際には上記記憶手段２５Ａに記憶された情報に基づき被呼側へ通知する発信者電話番号を選択し、上記第２の電話番号による上記電話機１Ａへの着信要求が到来すると記憶手段２５Ａに記憶されている着信可否情報に基づき上記電話機１Ａへの着信を制御する。
電話機１Ａには、第１の実施例と同じ情報を表示するＬＣＤ等の表示手段１１、この表示手段１１に情報を表示する制御を行う表示制御手段１２、データを入力するためのキーボードやマウスなどから構成される入力手段１３、入力手段１３からの入力に対応する情報をデータ送受モードにて管理装置２へ送出する送出手段１４が具備されている。また、情報を記憶するための記憶手段１７、情報を記憶手段１７へ記憶する制御を行う記憶制御手段１６を具備している。
第２の実施例に係る電話システムにおける上記以外の構成等は図１、図３や各フローチャートにおいて説明した構成などに等しい。ただし、電話機１Ａは電話処理を図８のフローチャートに代えて図３３のフローチャートに基づき実行する。即ち、オフフックによる発呼要求であるのか網側から着信の呼制御情報が送られてきたのかを検出する（Ｓ２２）。ここでは発呼である場合、図９の発呼用画面とは異なり、相手先の電話番号の入力を求めるだけの発呼用画面が表示手段１１に表示される（Ｓ２３）。そして、入力される相手電話番号を取り込み（Ｓ１１１）、制御チャネルを用いて網に対する発番号（第１の電話番号）と相手先の電話番号により構成される呼制御情報を、網３へ送信する（Ｓ１１２）。ここでは、第１の実施例において用いたサブ番号の使用不使用の情報を付加することはない。電話機１ＡにおけるステップＳ３１以降の処理は、図８において説明した第１の実施例の処理に等しい。
一方、網３側である管理装置２Ａでは、図１１に代えて用いられる図３４に示されるフローチャートに基づき電話処理（呼処理制御手段２６による処理）を行う。つまり、呼制御情報の到来を監視しており（Ｓ３５）、呼制御情報が到来すると、この親電話番号に基づき記憶手段２５Ａを検索して分析し（Ｓ１２１）、サブ番号を通知する（サブ番号の使用）かについて検出する（Ｓ３７）。ここでサブ番号を通知する（サブ番号の使用（発呼ＯＮ））こととなっていると、着呼側について記憶手段２５Ａ（データベース６４）を用いて分析を行う（Ｓ３８）。つまり、第２の電話番号を取得した相手が着信先であるかを分析する（Ｓ３９）。ここでＹＥＳへ分岐すると、サブ番号へ着信するか否かを着呼ＯＦＦか着呼ＯＮであるかを登録したテーブル（記憶手段２５Ａ）による分析を行い（Ｓ４０）、着呼ＯＮであるかを検出する（Ｓ４１）。ここでＹＥＳへ分岐すると、着信先へ発呼側のサブ番号を通知して（呼制御情報により通知して）着信を行う（Ｓ４２）。以降の処理は、図１１において説明した第１の実施例の処理に等しい。
また、図３４のステップＳ３７においてＮＯへ分岐した場合には、着呼側について記憶手段２５Ａ（データベース６４）を用いて分析を行う（Ｓ４６）。つまり、第２の電話番号を取得した相手が着信先であるかを分析する（Ｓ４７）。ここでＹＥＳへ分岐すると、サブ番号へ着信するか否かを着呼ＯＦＦか着呼ＯＮであるかを登録したテーブル（記憶手段２５Ａ）による分析を行い（Ｓ４８）、着呼ＯＮであるかを検出する（Ｓ４９）。ここでＹＥＳへ分岐すると、着信先へ発呼側の親番号（第１の電話番号）を通知して（呼制御情報により通知して）着信を行う（Ｓ５０）。これ以降は、既述のステップＳ４３、Ｓ４４の処理を行う。
以上のようにして、本発明の第２の実施例では、データ送受モードを用いて必要に応じて簡単な操作にて発番号をサブ番号とするか否かなどが選択でき、便利である。
尚、以上の説明においては、１つの第２の電話番号を割り当てる場合を例としたが、ユーザの希望により複数の第２の電話番号を割り当てることも可能である。この場合における、電話番号の取得や放棄等は各第２の電話番号毎に、既に説明した第２の実施例の場合と同様にして処理がなされる。そして、複数の第２の電話番号を割り当てられたユーザが当該電話機から発呼する場合には、発呼に際して相手側へ通知する電話番号を第１の電話番号とするか第２の電話番号とするかを選択し、第２の電話番号とする場合には更にいずれの電話番号とするかを選択する。電話機では、この選択を受けて図３３におけるステップＳ１１２において管理装置へ選択された電話番号による発番号を制御チャネルを用いて通知する。
以上本発明の電話システムによれば、ユーザ固有のものとして割り当てられた第１の電話番号とは異なる第２の電話番号（ユーザからの要求に応じて、その都度、非固定的・ユーザ非固有に割り当てる）による発呼及び着呼を管理する管理装置が備えられ、電話機側からの指示により上記第２の電話番号による発呼及び着呼に関する管理が行われ、電話機ユーザの要求に柔軟に適切に応えることが可能である。
【産業上の利用可能性】  上記のように本発明は、データ送受モードと電話モードとを実行する電話機を具備する無線及び有線の各種電話システムに適用できるものである。
【図１】
2005018209.tif 000003
【図２】
2005018209.tif 000004
【図３】
2005018209.tif 000005
【図４】
2005018209.tif 000006
【図５】
2005018209.tif 000007
【図６】
2005018209.tif 000008
【図７】
2005018209.tif 000009
【図８】
2005018209.tif 000010
【図９】
2005018209.tif 000011
【図１０】
2005018209.tif 000012
【図１１】
2005018209.tif 000013
【図１２】
2005018209.tif 000014
【図１３】
2005018209.tif 000015
【図１４】
2005018209.tif 000016
【図１５】
2005018209.tif 000017
【図１６】
2005018209.tif 000018
【図１７】
2005018209.tif 000019
【図１８】
2005018209.tif 000020
【図１９】
2005018209.tif 000021
【図２０】
2005018209.tif 000022
【図２１】
2005018209.tif 000023
【図２２】
2005018209.tif 000024
【図２３】
2005018209.tif 000025
【図２４】
2005018209.tif 000026
【図２５】
2005018209.tif 000027
【図２６】
2005018209.tif 000028
【図２７】
2005018209.tif 000029
【図２８】
2005018209.tif 000030
【図２９】
2005018209.tif 000031
【図３０】
2005018209.tif 000032
【図３１】
2005018209.tif 000033
【図３２】
2005018209.tif 000034
【図３３】
2005018209.tif 000035
【図３４】
2005018209.tif 000036
【手続補正書】
【提出日】平成16年3月4日(2004.3.4)
【手続補正００１】
【補正対象書類名】特許請求の範囲
【補正対象項目名】全文
【補正方法】変更
【補正の内容】
【書類名】特許請求の範囲
【請求項１】データ送受モードと電話モードとを実行する電話機と、前記電話機に付与された第１の電話番号とは異なる第２の電話番号による発呼及び着呼を管理する管理装置とを具備する電話システムにおいて、
前記管理装置は、
前記電話機からデータ送受モードにより第２の電話番号の割当・放棄要求・時間と日と週によるサービス利用期間の指定又はサービス利用期間の変更・第２の電話番号による着呼の可否設定があると、第２の電話番号を割当・放棄すると共に、第２の電話番号による着呼の可否情報の登録・時間と日と週によるサービス利用期間の登録又はサービス利用期間の変更をしてサービスを行う割当・放棄・サービス実行制御手段と、
前記電話機から電話モードにおける発呼の際に発信者電話番号通知に付加されて送られてくる制御情報に応じて、被呼側へ通知する発信者電話番号を選択して通知する通知手段と
前記第２の電話番号による前記電話機への着信要求が到来すると、前記記憶手段に記憶されている第２の電話番号による着呼の可否情報に基づき前記電話機への着信を制御する着信制御手段と
を具備していることを特徴とする電話システム。
【請求項２】前記電話機は、
第２の電話番号の割当・放棄要求、第２の電話番号による当該電話機への着呼の可否並びに時間と日と週によるサービス利用期間の指定又は変更について入力を行う入力手段と、
前記入力手段からの入力に対応する情報を前記データ送受モードにて前記管理装置へ送出する送出手段と
を具備することを特徴とする請求項１に記載の電話システム。
【請求項３】前記電話機は、
被呼側へ通知する発信者電話番号を指示する制御情報を入力する入力手段と、
この入力手段により入力された制御情報を電話モードにおける発呼の際に前記管理装置へ送出する発呼処理手段と
を具備することを特徴とする請求項１に記載の電話システム。
【請求項４】データ送受モードと電話モードとを実行する電話機と、前記電話機に付与された第１の電話番号とは異なる第２の電話番号による発呼及び着呼を管理する管理装置とを具備する電話システムにおいて、
前記管理装置は、
前記電話機に割り当てる第２の電話番号情報と、この第２の電話番号による発信者電話番号通知の制御情報、この第２の電話番号による前記電話機への着信の可否を示す着信可否情報並びに時間と日と週によるサービス利用期間を含む設定情報を記憶する記憶手段と、
前記電話機からデータ送受モードにより、前記第２の電話番号の割り当て或いは放棄要求、この第２の電話番号はよる発信者電話番号通知の制御情報、この第２の電話番号による前記電話機への着信の可否を示す着信可否情報並びに時間と日と週によるサービス利用期間を含む設定情報を受けて前記記憶手段へ反映させる記憶制御手段と、
前記電話機からの電話モードにおける発呼の際には前記記憶手段に記憶された設定情報に基づき被呼側へ通知する発信者電話番号を選択し、前記第２の電話番号による前記電話機への着信要求が到来すると前記記憶手段に記憶されている設定情報に基づき前記電話機への着信を制御する呼処理制御手段と
を具備することを特徴とする電話システム。




【国際調査報告】
2005018209.tif 000037
2005018209.tif 000038